(57)【要約】【課題】硫黄分吸収溶液に対して、有害なＳＯ2 の無害化を促進でき、人が強い不快感を覚えるほどの異臭を放つことがなく、最終的にｐＨを所望に調整することができるような処理装置及び処理方法を提供すること。【解決手段】硫黄吸収溶液に対して海水混合及びエアレーションを行うための処理容器と、硫黄吸収溶液供給管と、海水供給経路と、エアレーションを施すためのノズル部と、を備える。海水供給経路によって処理容器の内部へと供給される海水の量は、硫黄吸収溶液供給管によって処理容器の内部へと供給される硫黄吸収溶液の量に対して、４．７倍以上である。【選択図】図３
2017077537.tif 000002
【特許請求の範囲】
【請求項１】
硫黄吸収溶液に対して海水混合及びエアレーションを行うための処理容器と、
前記処理容器の外側から前記処理容器の内部まで配設された硫黄吸収溶液供給管と、
前記処理容器の内部における前記硫黄吸収溶液供給管に設けられ当該処理容器の内部に硫黄吸収溶液を供給する開口部と、
前記処理容器の外側から前記処理容器の内部へと海水を供給する海水供給経路と、
前記処理容器の外側から前記処理容器の内部まで配設された空気供給管と、
前記処理容器の内部における前記空気供給管に設けられ当該処理容器の内部においてエアレーションを施すためのノズル部と、
を備え、
前記海水供給経路によって前記処理容器の内部へと供給される海水の量は、前記硫黄吸収溶液供給管の前記開口部によって前記処理容器の内部へと供給される硫黄吸収溶液の量に対して、４．７倍以上である
ことを特徴とする処理装置。
【請求項２】
前記海水供給経路によって前記処理容器の内部へと供給される海水の量は、前記硫黄吸収溶液供給管の前記開口部によって前記処理容器の内部へと供給される硫黄吸収溶液の量に対して、４．９倍以上である
ことを特徴とする請求項１に記載の処理装置。
【請求項３】
前記処理容器内でエアレーションを施されている混合液体のｐＨは、当該液体の表面のいずれの箇所においても、５．５以上である
ことを特徴とする請求項１または２のいずれかに記載の処理装置。
【請求項４】
前記硫黄吸収溶液供給管は、前記処理容器の底部に設けられており、
前記処理容器内でエアレーションを施されている混合液体の表面の高さが前記硫黄吸収溶液供給管の高さの１．５倍から２．０倍になるように、設定されている
ことを特徴とする請求項１乃至３のいずれかに記載の処理装置。
【請求項５】
前記海水供給経路と前記処理容器との間には、前記海水供給経路から前記処理容器の内部へと海水を供給する開口部を有する側壁が設けられている
ことを特徴とする請求項１乃至４に記載の処理装置。
【請求項６】
前記海水供給経路によって前記処理容器の内部へと供給される海水の供給方向と、前記硫黄吸収溶液供給管の前記開口部によって前記処理容器の内部へと供給される硫黄吸収溶液の供給方向とが、互いに対向ないし交差するようになっている
ことを特徴とする請求項１乃至５のいずれかに記載の処理装置。
【請求項７】
前記海水供給経路と、前記硫黄吸収溶液供給管の前記開口部との間に、前記エアレーションを施すためのノズル部を備えている
ことを特徴とする請求項１乃至６のいずれかに記載の処理装置。
【請求項８】
前記処理容器における前記硫黄吸収溶液供給管の前記開口部による硫黄吸収溶液の供給側において、前記海水供給経路によって海水が供給されるようになっており、当該供給側の反対側において、エアレーションを施された混合液体が排出されるようになっており、
前記処理容器内でエアレーションを施されている混合液体のｐＨは、前記硫黄吸収溶液の前記供給側においては、５．８〜７．５であり、前記硫黄吸収溶液の前記供給側の反対側においては、５．５〜７．０であるとともに、前記硫黄吸収溶液の前記供給側よりも前記硫黄吸収溶液の前記供給側の反対側において混合液体のｐＨが低い
ことを特徴とする請求項６または７に記載の処理装置。
【請求項９】
硫黄吸収溶液に対して海水混合及びエアレーションを行うための処理方法であって、
処理容器の外側から当該処理容器の内部まで硫黄吸収溶液を供給する硫黄吸収溶液供給工程と、
前記処理容器の外側から当該処理容器の内部へと海水を供給して前記硫黄吸収溶液に混合させる海水供給工程と、
前記処理容器の外側から当該処理容器の内部まで空気を供給してエアレーションを施す空気供給工程と、
を備え、
前記硫黄吸収溶液供給工程と前記海水供給工程と前記空気供給工程とは、同時に行われるようになっており、
前記海水供給工程によって前記処理容器の内部へと供給される海水の量は、前記硫黄吸収溶液供給工程によって前記処理容器の内部へと供給される硫黄吸収溶液の量に対して、４．７倍以上である
ことを特徴とする処理方法。
【請求項１０】
前記海水供給工程によって前記処理容器の内部へと供給される海水の量は、前記硫黄吸収溶液供給工程によって前記処理容器の内部へと供給される硫黄吸収溶液の量に対して、４．９倍以上である
ことを特徴とする請求項９に記載の処理方法。
【請求項１１】
前記処理容器内でエアレーションを施されている混合液体のｐＨは、当該液体の表面のいずれの箇所においても、５．５以上である
ことを特徴とする請求項９または１０に記載の処理方法。
【請求項１２】
前記海水供給工程によって前記処理容器の内部へと供給される海水と、前記硫黄吸収溶液供給工程によって前記処理容器の内部へと供給される硫黄吸収溶液とが、互いに対向ないし交差するように供給される
ことを特徴とする請求項９乃至１１のいずれかに記載の処理方法。
【請求項１３】
前記処理容器における前記硫黄吸収溶液供給工程による硫黄吸収溶液の供給側において、前記海水供給工程によって海水が供給されるようになっており、当該供給側の反対側において、エアレーションを施された混合液体が排出されるようになっており、
前記処理容器内でエアレーションを施されている混合液体のｐＨは、前記硫黄吸収溶液の前記供給側においては、５．８〜７．５であり、前記硫黄吸収溶液の前記供給側の反対側においては、５．５〜７．０であるとともに、前記硫黄吸収溶液の前記供給側よりも前記硫黄吸収溶液の前記供給側の反対側において混合液体のｐＨが低い
ことを特徴とする請求項１２に記載の処理方法。
【請求項１４】
請求項１乃至８のいずれかに記載の処理装置と、
海水を用いてガスの脱硫処理を実施して当該脱硫処理後の海水を硫黄吸収溶液とする海水法排煙脱硫装置と、
を備え、
前記海水法排煙脱硫装置は、多孔板と充填材とを採用した硫黄分吸収塔であり、前記処理装置の前記硫黄吸収溶液供給管に接続されている
ことを特徴とする脱硫システム。
【発明の詳細な説明】
【技術分野】
【０００１】
本発明は、海水法排煙脱硫等によって生じる硫黄吸収溶液のｐＨを調整する処理装置及び処理方法に関する。
【背景技術】
【０００２】
石炭等の化石燃料を用いた発電施設等は、現在でも多数稼働している。そのような発電施設においては、環境保全のため、石炭等の化石燃料を燃焼する際に生じる排ガスについて、その硫黄分を除去する脱硫処理が必要である。そのような脱硫処理のために用いられる装置として、様々な脱硫装置が開発されて使用されている。
【０００３】
一方、大型の発電所では、大量の冷却水が必要となる。このため、冷却水として海水を利用するべく、大型の発電所を海に面した場所に建設する場合が多くなっている。そのような場合、脱硫処理のランニングコストを低く抑えるために、脱硫処理においても海水を利用することが近年注目されている。この処理態様は、海水法排煙脱硫と呼ばれている。
【０００４】
化石燃料を燃焼する際に生じる排ガスを対象にした海水法排煙脱硫について説明する。化石燃料を燃焼する際に生じる排ガスには、ＳＯ2 などの形態で硫黄分が含まれている。この海水法排煙脱硫では、硫黄分吸収塔という脱硫装置が用いられて、排ガスと海水とが気液接触させられることで、排ガス中のＳＯ2 が海水に吸収され、脱硫処理後のガスが大気中に放出される。排ガスと海水との接触の際には、以下の（ａ）から（ｄ）に示すような反応が生じている。
（ａ）ＳＯ2 ＋Ｈ2 Ｏ→ＨＳＯ3- ＋Ｈ+
（ｂ）ＨＳＯ3-＋１／２Ｏ2 →  ＳＯ42-＋Ｈ+
（ｃ）ＣＯ2 ＋Ｈ2 Ｏ→ＨＣＯ3- ＋Ｈ+
（ｄ）ＨＣＯ3-→ＣＯ32-＋Ｈ+
【０００５】
まず、（ａ）に示すように排ガスと海水との気液接触により排ガス中のＳＯ2 が海水に吸収されると、Ｈ+ が発生する。このＨ+ は、海水中に溶け込む。反応（ａ）が進行していくと、それに伴って反応（ｂ）が進行し、海水中のＳＯ42-の濃度が上昇すると共にＨ+の濃度も増えてｐＨが下がる。このような状態の海水は、硫黄分吸収溶液と呼ばれている。操業条件等にもよるが、硫黄分吸収溶液のｐＨは２〜３程度である。
【０００６】
このようにｐＨが低い硫黄分吸収溶液をそのまま海洋へ放出してしまうと、環境に悪影響を与えてしまう。従って、ｐＨが低い硫黄分吸収溶液について、ｐＨを上昇させる処理が必要である。ｐＨを上昇させる処理として、通常の海水と混合させると同時に空気と気液接触させる方法が従来から知られている。この際、以下のような反応が生じて、硫黄分吸収溶液のｐＨが上昇する。
（ｅ）ＨＣＯ3- ＋  Ｈ+ → ＣＯ2 ＋Ｈ2 Ｏ
（ｆ）ＣＯ32-  ＋２Ｈ+ → ＣＯ2 ＋Ｈ2 Ｏ
【０００７】
海水法排煙脱硫は、操業方法が複雑でないため、広く利用されている。海水法排煙脱硫については、例えば特許文献１などに記載がある。
【０００８】
通常の海水と混合させると同時に空気と気液接触させる従来の方法を改良して、通常の海水と混合させる水槽（混合装置）と、空気と気液接触させる水槽（エアレーション装置）と、を完全に分離したカスケードタイプの海水処理装置も提案されている（特許文献２）。
【０００９】
硫黄分吸収溶液にそのままエアレーションを施すと、有害なＳＯ2の大気への放散量が一気に増えて、人が強い不快感を覚えるほどの異臭が生じてしまう場合があるが、特許文献２による装置では、海水混合とエアレーションとを２段階に分離することで、この問題を回避している。
【００１０】
また、特許文献２による装置では、後段階でのエアレーションによって効果的にｐＨを上昇させることができるため、先段階で混合させる海水量を抑制することもできる。
【先行技術文献】
【特許文献】
【００１１】
【特許文献１】特開２０００−３５４７３２号公報
【特許文献２】特開２００６−０５５７７９号公報
【特許文献３】特開２００１−１２９３５２号公報
【発明の概要】
【発明が解決しようとする課題】
【００１２】
本件発明者は、極めて高効率な脱硫装置として、モレタナ（登録商標）と呼ばれる多孔板と充填材とを採用した硫黄分吸収塔を開発している。（そのような硫黄分吸収塔の基本構成は、特許文献３に開示されている。）
【００１３】
このような高効率な脱硫装置を用いると、排ガス中のＳＯ2 が高効率に海水に吸収され得るため、脱硫のために必要な海水量をより一層抑制することができる。例えば、特許文献２では、１６５００００Ｎｍ3 ／ｈの排ガスを処理する脱硫装置において２１０００ｔ／ｈの海水を要しているが（図６（特許文献２の図５）参照）、本件発明者が開発した硫黄分吸収塔によれば、２３７００００Ｎｍ3 ／ｈの排ガスを処理するのに１８０００ｍ3 ／ｈの海水量で足りる。
【００１４】
しかしながら、後者のような操業条件によると、硫黄分吸収溶液中に吸収されたＳＯ2 の多くが反応（ａ）及び（ｂ）に至っておらず（本件発明者による検証では、硫黄分吸収塔内でのＳＯ2 酸化率は２０〜３０％に留まる）、硫黄分吸収溶液中のＳＯ2 がＣＯＤ（Chemical Oxygen Demand）成分として残留しているため、これらを十分に酸化させなければならない。
【００１５】
本発明は、以上の知見に基づいて創案されたものである。本発明の目的は、硫黄分吸収溶液に対して、ＳＯ2 酸化を促進するとともに有害なＳＯ2 の無害化を促進でき、人が強い不快感を覚えるほどの異臭を放つことがなく、最終的にｐＨを所望に調整することができるような処理装置及び処理方法を提供することである。
【課題を解決するための手段】
【００１６】
本発明は、硫黄吸収溶液に対して海水混合及びエアレーションを行うための処理容器と、前記処理容器の外側から前記処理容器の内部まで配設された硫黄吸収溶液供給管と、前記処理容器の内部における前記硫黄吸収溶液供給管に設けられ当該処理容器の内部に硫黄吸収溶液を供給する開口部と、前記処理容器の外側から前記処理容器の内部へと海水を供給する海水供給経路と、前記処理容器の外側から前記処理容器の内部まで配設された空気供給管と、前記処理容器の内部における前記空気供給管に設けられ当該処理容器の内部においてエアレーションを施すためのノズル部と、を備え、前記海水供給経路によって前記処理容器の内部へと供給される海水の量は、前記硫黄吸収溶液供給管の前記開口部によって前記処理容器の内部へと供給される硫黄吸収溶液の量に対して、４．７倍以上であることを特徴とする処理装置である。
【００１７】
本発明によれば、海水の供給量を硫黄吸収溶液の供給量に対して４．７倍以上とすることで、有害なＳＯ2 の無害化を促進でき、人が強い不快感を覚えるほどの異臭を放つことがなく、最終的にｐＨを所望に調整することができる。当該作用効果は、実際に本件発明者によって検証されている。本発明は、通常の海水法排煙脱硫に適用すると、海水の供給量が過大になってしまって効果的でないが、高効率な脱硫装置を用いて脱硫のために必要な海水量を抑制する場合には、相応して硫黄吸収溶液の供給量も抑制されるため、その４．７倍以上の海水量といっても過大ということはない。一方、特許文献２のように２つの処理容器（水槽）をカスケードに接続する必要がないため、設備設置面積及び設備コストを抑制できる。
【００１８】
また、前記海水供給経路によって前記処理容器の内部へと供給される海水の量は、前記硫黄吸収溶液供給管の前記開口部によって前記処理容器の内部へと供給される硫黄吸収溶液の量に対して、４．９倍以上であることが特に好ましい。この場合、有害なＳＯ2 の無害化をより一層促進でき、人が強い不快感を覚えるほどの異臭を放つことがなく、最終的にｐＨを所望の低さにまで調整することができる。
【００１９】
また、前記処理容器内でエアレーションを施されている混合液体のｐＨは、当該液体の表面のいずれの箇所においても、５．５以上であることが好ましい。この場合、人が強い不快感を覚えるほどの異臭を放つことが確実に抑制される。
【００２０】
また、前記硫黄吸収溶液供給管は、前記処理容器の底部に設けられ、前記処理容器内でエアレーションを施されている混合液体の表面の高さが前記硫黄吸収溶液供給管の高さの１．５倍から２．０倍になるように、設定されていることが好ましい。この場合、エアレーションによるＳＯ2 の無害化をより一層促進することができる一方、人が強い不快感を覚えるほどの異臭を放つことが確実に抑制される。
【００２１】
また、前記海水供給経路と前記処理容器との間には、前記海水供給経路から前記処理容器の内部へと海水を供給する開口部を有する側壁が設けられていることが好ましい。この場合、処理容器へ供給される海水の流路を開口部に限定することで処理容器の内部へ供給される海水の流速が高められ、海水と硫黄吸収溶液との混合の効率がよい。
【００２２】
また、前記海水供給経路によって前記処理容器の内部へと供給される海水の供給方向と、前記硫黄吸収溶液供給管の前記開口部によって前記処理容器の内部へと供給される硫黄吸収溶液の供給方向とが、互いに対向ないし交差するようになっていることが好ましい。この場合、海水と硫黄吸収溶液との混合の効率がよい。
【００２３】
また、前記海水供給経路と前記硫黄吸収溶液供給管の前記開口部との間に、前記エアレーションを施すためのノズル部を備えていることが好ましい。この場合、海水と硫黄吸収溶液との混合の効率がよいことに加えて、エアレーションによる混合液体のＳＯ2 酸化が促進され、ＳＯ2 の無害化をより一層促進することができる一方、人が強い不快感を覚えるほどの異臭を放つことが確実に抑制される。
【００２４】
また、前記処理容器における前記硫黄吸収溶液供給管の前記開口部による硫黄吸収溶液の供給側において、前記海水供給経路によって海水が供給されるようになっており、当該供給側の反対側において、エアレーションを施された混合液体が排出されるようになっており、前記処理容器内でエアレーションを施されている混合液体のｐＨは、前記硫黄吸収溶液の前記供給側においては、５．８〜７．５であり、前記硫黄吸収溶液の前記供給側の反対側においては、５．５〜７．０であるとともに、前記硫黄吸収溶液の前記供給側よりも前記硫黄吸収溶液の前記供給側の反対側において混合液体のｐＨが低いことが好ましい。この場合、混合液体のＳＯ2 酸化が促進され混合液体のｐＨが低下するとともに有害なＳＯ2 の無害化が促進され、人が強い不快感を覚えるほどの異臭を放つこともなく、ｐＨも所望に調整されている。
【００２５】
あるいは、本発明は、硫黄吸収溶液に対して海水混合及びエアレーションを行うための処理方法であって、処理容器の外側から当該処理容器の内部まで硫黄吸収溶液を供給する硫黄吸収溶液供給工程と、前記処理容器の外側から当該処理容器の内部へと海水を供給して前記硫黄吸収溶液に混合させる海水供給工程と、前記処理容器の外側から当該処理容器の内部まで空気を供給してエアレーションを施す空気供給工程と、を備え、前記硫黄吸収溶液供給工程と前記海水供給工程と前記空気供給工程とは、同時に行われるようになっており、前記海水供給工程によって前記処理容器の内部へと供給される海水の量は、前記硫黄吸収溶液供給工程によって前記処理容器の内部へと供給される硫黄吸収溶液の量に対して、４．７倍以上であることを特徴とする処理方法である。
【００２６】
本発明によっても、海水の供給量を硫黄吸収溶液の供給量に対して４．７倍以上とすることで、有害なＳＯ2 の無害化を促進でき、人が強い不快感を覚えるほどの異臭を放つことがなく、最終的にｐＨを所望に調整することができる。当該作用効果は、実際に本件発明者によって検証されている。本発明は、通常の海水法排煙脱硫に適用すると、海水の供給量が過大になってしまって効果的でないが、高効率な脱硫装置を用いて脱硫のために必要な海水量を抑制する場合には、相応して硫黄吸収溶液の供給量も抑制されるため、その４．７倍以上の海水量といっても過大ということはない。一方、特許文献２のように２つの処理容器（水槽）をカスケードに接続する必要がないため、設備設置面積及び設備コストを抑制できる。
【００２７】
前記海水供給工程によって前記処理容器の内部へと供給される海水の量は、前記硫黄吸収溶液供給工程によって前記処理容器の内部へと供給される硫黄吸収溶液の量に対して、４．９倍以上であることが特に好ましい。この場合、有害なＳＯ2 の無害化をより一層促進でき、人が強い不快感を覚えるほどの異臭を放つことがなく、最終的にｐＨを所望の低さにまで調整することができる。
【００２８】
また、前記処理容器内でエアレーションを施されている混合液体のｐＨは、当該液体の表面のいずれの箇所においても、５．５以上であることが好ましい。この場合、人が強い不快感を覚えるほどの異臭を放つことが確実に抑制される。
【００２９】
また、前記海水供給工程によって前記処理容器の内部へと供給される海水と、前記硫黄吸収溶液供給工程によって前記処理容器の内部へと供給される硫黄吸収溶液とが、互いに対向ないし交差するように供給されることが好ましい。この場合、海水と硫黄吸収溶液との混合の効率がよい。
【００３０】
また、前記処理容器における前記硫黄吸収溶液供給工程による硫黄吸収溶液の供給側において、前記海水供給工程によって海水が供給されるようになっており、当該供給側の反対側において、エアレーションを施された混合液体が排出されるようになっており、前記処理容器内でエアレーションを施されている混合液体のｐＨは、前記硫黄吸収溶液の前記供給側においては、５．８〜７．５であり、前記硫黄吸収溶液の前記供給側の反対側においては、５．５〜７．０であるとともに、前記硫黄吸収溶液の前記供給側よりも前記硫黄吸収溶液の前記供給側の反対側において混合液体のｐＨが低いことが好ましい。この場合、混合液体のＳＯ2 酸化が促進され混合液体のｐＨが低下するとともに有害なＳＯ2 の無害化が促進され、人が強い不快感を覚えるほどの異臭を放つこともなく、ｐＨも所望に調整されている。
【００３１】
また、本発明は、前記特徴のいずれかを有する処理装置と、海水を用いてガスの脱硫処理を実施して当該脱硫処理後の海水を硫黄吸収溶液とする海水法排煙脱硫装置と、を備え、前記海水法排煙脱硫装置は、多孔板と充填材とを採用した硫黄分吸収塔であり、前記処理装置の前記硫黄吸収溶液供給管に接続されていることを特徴とする脱硫システムである。このような高効率の海水法排煙脱硫装置を用いた場合のＳＯ2 酸化率の低い硫黄吸収溶液であっても、混合液体のＳＯ2 酸化が促進され混合液体のｐＨが低下するとともに有害なＳＯ2 の無害化が促進され、人が強い不快感を覚えるほどの異臭を放つこともなく、ｐＨも所望に調整される。
【発明の効果】
【００３２】
本発明によれば、海水の供給量を硫黄吸収溶液の供給量に対して４．７倍以上とすることで、有害なＳＯ2 の無害化を促進でき、人が強い不快感を覚えるほどの異臭を放つことがなく、最終的にｐＨを所望に調整することができる。当該作用効果は、実際に本件発明者によって検証されている。本発明は、通常の海水法排煙脱硫に適用すると、海水の供給量が過大になってしまって効果的でないが、高効率な脱硫装置を用いて脱硫のために必要な海水量を抑制する場合には、相応して硫黄吸収溶液の供給量も抑制されるため、その４．７倍以上の海水量といっても過大ということはない。一方、特許文献２のように２つの処理容器（水槽）をカスケードに接続する必要がないため、設備設置面積及び設備コストを抑制できる。
【図面の簡単な説明】
【００３３】
【図１】高効率な脱硫装置である硫黄分吸収塔と、本発明の一実施の形態による硫黄吸収溶液の処理装置と、の接続関係を説明するための概略斜視図である。
【図２】本発明の一実施の形態による硫黄吸収溶液の処理装置の概略断面図である。
【図３】図２に示す処理装置の使用例を示す概略図である。
【図４】図２に示す処理装置の他の使用例を示す概略図である。
【図５】本発明の他の実施の形態による硫黄吸収溶液の処理装置の概略断面図である。
【図６】特許文献２（特開２００６−０５５７７９号公報）の図５である。
【発明を実施するための形態】
【００３４】
以下に、添付の図面を参照して、本発明の実施の形態を詳細に説明する。
【００３５】
図１は、高効率な脱硫装置である硫黄分吸収塔３０と、本発明の一実施の形態による硫黄吸収溶液の処理装置１０と、の接続関係を説明するための概略斜視図である。図１に示す例では、発電施設等において化石燃料を燃焼する際に生じた排ガスが、ヒータ３１を介して硫黄分吸収塔３０に供給されるようになっている。硫黄分吸収塔３０は、モレタナ（登録商標）と呼ばれる多孔板と充填材とを採用した硫黄分吸収塔であり、海水ポンプ３２を介して供給される海水を用いた海水法排煙脱硫処理を実施するようになっている。
【００３６】
脱硫処理された排ガスは、再びヒータ３１を通って、煙突３３を介して大気に放出されるようになっている。一方、脱硫処理によって硫黄吸収溶液となった海水は、本発明の一実施の形態による処理装置１０に供給されるようになっている。
【００３７】
処理装置１０では、硫黄吸収溶液の他に、当該硫黄吸収溶液に混合するための海水と、エアレーションを施すための空気と、が供給されるようになっている。空気は、例えば、好適なブロワ３４から供給される。海水と混合されエアレーションを施されることで有害なＳＯ2 が無害化されｐＨも所望に調整された硫黄吸収溶液は、例えば海洋に放出されるようになっている。
【００３８】
図２は、本発明の一実施の形態による硫黄吸収溶液の処理装置１０の概略断面図である。図２に示すように、本実施の形態の処理装置１０は、硫黄吸収溶液に対して海水混合及びエアレーションを行うための処理容器１１を備えている。処理容器１１は、底壁１１ｂと、側壁１１ｗと、を有しており、上面側は開放されている。
【００３９】
処理容器１１の外側から（例えば硫黄分吸収塔３０から）当該処理容器１１の内部まで、硫黄吸収溶液供給管１２が配設されている。本実施の形態の硫黄吸収溶液供給管１２の一部は、直径１７００ｍｍの円筒管からなっていて、処理容器１１の底壁１１ｂ上に載置されている。そして、硫黄吸収溶液供給管１２の当該円筒管部分の斜め上方に位置する側壁部に、円形もしくはスリット状の開口部１２ｓが形成されている。これにより、当該開口部１２ｓを介して、処理容器１１の内部に硫黄吸収溶液が供給されるようになっている。なお、本実施形態では、硫黄吸収溶液供給管１２の当該円筒管部分の斜め上方に位置する側壁部に開口部１２ｓが形成されているが、水平方向に位置する側壁部に開口部１２ｓが形成されていてもよい。
【００４０】
一方、処理容器１１の外側から当該処理容器１１の内部まで、海水を供給する海水供給経路１３が形成されている。本実施の形態の海水供給経路１３は、処理容器１１に隣接する海水容器１３ａと、処理容器１１と海水容器１３ａとの間の側壁１１ｗの底部側の一部に形成された海水供給開口１３ｓと、によって構成されており、流速を高められた海水が処理容器に供給されるようになっている。
【００４１】
これにより、海水供給経路１３の海水供給開口１３ｓによって処理容器１１の内部へと供給される海水の供給方向と、硫黄吸収溶液供給管１２の開口部１２ｓによって処理容器１１の内部へと供給される硫黄吸収溶液の供給方向とが、互いに略対向するようになっている。
【００４２】
ここで、処理容器１１の内部に供給される海水の量は、海水供給経路１３に供給された海水から、海水ポンプ３２によって硫黄分吸収塔３０に海水が供給された残りの海水が供給されることになる。
【００４３】
そして、本実施の形態では、海水供給経路１３の海水供給開口１３ｓによって処理容器１１の内部へと供給される海水の量が、硫黄吸収溶液供給管１２の開口部１２ｓによって処理容器１１の内部へと供給される硫黄吸収溶液の量に対して、４．７倍以上になっている。
【００４４】
なお、海水供給開口１３ｓの高さ方向の位置はどこでもよいが、より良好な流体混合のためには、底部に設けることがより好ましい。
【００４５】
また、硫黄吸収溶液供給管１２の開口部１２ｓによる硫黄吸収溶液の供給側において海水供給経路１３によって海水が供給される一方で、当該供給側の反対側において、エアレーションを施された混合液体が排出されるようになっている。具体的には、エアレーションを施された混合液体を例えば海洋へと排出するべく、処理容器１１の側壁１１ｗの一部が越流堰１１ｄとなっている。越流堰１１ｄの高さは、例えば約２４００ｍｍである。
【００４６】
更に、処理容器１１の外側から（例えばブロワ３４から）当該処理容器１１の内部まで、空気供給管１４が配設されている。空気供給管１４は、分岐されて、処理容器１１の底壁１１ｂの近傍に配置されており、処理容器１１の内部においてエアレーションを施すためのノズル部１４ｎが上面側に多数形成されている。
【００４７】
本実施の形態では、海水供給経路１３の海水供給開口１３ｓによって処理容器１１の内部へと供給される海水の量と硫黄吸収溶液供給管１２の開口部１２ｓによって処理容器１１の内部へと供給される硫黄吸収溶液の量とが、処理容器１１内でエアレーションを施されている混合液体の表面の高さが硫黄吸収溶液供給管１２の高さの１．５倍から２．０倍になるように（例えば約３０００ｍｍになるように）、設定されている。このような条件が採用されることで、混合液体のＳＯ2 酸化が促進され混合液体のｐＨが低下するとともにエアレーションによるＳＯ2 の無害化をより一層促進することができる一方、人が強い不快感を覚えるほどの異臭を放つことが確実に抑制されるようになっている。
【００４８】
次に、以上のような本実施の形態の作用について説明する。図３は、図２に示す処理装置の使用例を示す概略図である。
【００４９】
図１に示すように、発電施設等において化石燃料を燃焼する際に生じた排ガスが、ヒータ３１を介して硫黄分吸収塔３０に供給される。硫黄分吸収塔３０は、モレタナ（登録商標）と呼ばれる多孔板と充填材とを採用した硫黄分吸収塔であり、海水ポンプ３２を介して供給される海水を用いて、海水法排煙脱硫処理を実施する。図３に示す例では、１８０００ｍ3 ／ｈの海水（ｐＨは７．８）を用いて、２３７００００Ｎｍ3 ／ｈの排ガスが処理される。ここで、硫黄分吸収塔３０に供給される海水の量は、海水ポンプ３２の流量調整や、図示しないバルブによる流量調整等、通常行われる方法で調整されればよい。
【００５０】
硫黄分吸収塔３０によって脱硫処理された排ガスは、再びヒータ３１を通って、煙突３３を介して大気に放出される。排ガスの一部の成分が海水に吸収されることで、大気に放出されるガスの流量は、２２０００００Ｎｍ3 ／ｈである。
【００５１】
一方、当該脱硫処理によって硫黄吸収溶液となった海水は、本実施の形態の硫黄吸収溶液の処理装置１０に供給される。排ガス中の水分が一部凝縮することで、処理装置１０に供給される硫黄吸収溶液の流量は、１８１００ｍ3 ／ｈである。また、当該硫黄吸収溶液のｐＨは、２．２である。
【００５２】
図２に示すように、硫黄分吸収塔３０から処理容器１１の内部まで、硫黄吸収溶液供給管１２によって硫黄吸収溶液が送られ、硫黄吸収溶液供給管１２の一部である円筒管部分の斜め上方に位置する側壁部に形成された開口部１２ｓを介して、処理容器１１の内部に硫黄吸収溶液が供給される。供給量は、前述の通り、１８１００ｍ3 ／ｈである。
【００５３】
一方、処理容器１１と海水容器１３ａとの間の側壁１１ｗの底部側の一部に形成された海水供給開口１３ｓを介して、処理容器１１の内部に海水がその流速を高められて供給される。供給量は、図３に示す通り、８５１００ｍ3 ／ｈである。すなわち、海水供給開口１３ｓによって供給される海水の量が、硫黄吸収溶液供給管１２の開口部１２ｓによって供給される硫黄吸収溶液の量に対して、４．７倍以上である（８５１００／１８１００＝４．７０１）。
【００５４】
更に、空気供給管１４を介して、複数のノズル部１４ｎからエアレーションを施すための空気が処理容器１１の内部に供給される。供給量は、図３に示す通り、２００００Ｎｍ3 ／ｈである。
【００５５】
そして、エアレーションを施された混合液体は、越流堰１１ｄを介して排出され、例えば海洋へと放出される。
【００５６】
以上のような使用例について、本件発明者の実際の検証によれば、処理対象である硫黄吸収溶液において有害なＳＯ2 の無害化を達成でき、最終的なｐＨを５．５以上に調整することができた。また、処理容器１１内でエアレーションを施されている混合液体のｐＨについて、当該液体の表面のいずれの箇所においても５．５以上であることが確認できた。（より詳しくは、エアレーションを施されている混合液体のｐＨは、硫黄吸収溶液の供給側（図２の領域Ａ）においては、５．８〜７．５であり、硫黄吸収溶液の供給側の反対側（図２の領域Ｂ）においては、５．５〜７．０であった。）これは、人が強い不快感を覚えるほどの異臭を放つことが確実に抑制されていることを意味する。
【００５７】
本実施の形態では、高効率な脱硫装置３０を用いて脱硫のために必要な海水量を抑制しているため、相応して硫黄吸収溶液の供給量も抑制されているため、その４．７倍以上の海水量といっても８５１００ｍ3 ／ｈであるから、過大ということはない。
【００５８】
一方、本実施の形態によれば、特許文献２の装置のように２つの処理容器（水槽）をカスケードに接続する必要がないため、設備設置面積及び設備コストを抑制できる。
【００５９】
また、本実施の形態では、海水供給開口１３ｓによって処理容器１１の内部へと供給される海水の流速が高められるとともにその供給方向と、硫黄吸収溶液供給管１２の開口部１２ｓによって処理容器１１の内部へと供給される硫黄吸収溶液の供給方向とが、互いに略対向するようになっているため、海水と硫黄吸収溶液との混合の効率が良い。
【００６０】
また、本実施の形態では、海水供給開口１３ｓによって処理容器１１の内部へと供給される海水の量と硫黄吸収溶液供給管１２の開口部１２ｓによって処理容器１１の内部へと供給される硫黄吸収溶液の量とが、処理容器１１内でエアレーションを施されている混合液体の表面の高さが硫黄吸収溶液供給管１２の高さの１．５倍から２．０倍になるように（例えば約３０００ｍｍになるように）、設定されていることによっても、混合液体のＳＯ2 酸化が促進され混合液体のｐＨが低下するとともにエアレーションによるＳＯ2 の無害化がより一層促進されていて、人が強い不快感を覚えるほどの異臭を放つことが確実に抑制されている。
【００６１】
次に、図４は、図２に示す処理装置の他の使用例を示す概略図である。図４に示す使用例では、海水供給経路１３によって処理容器１１の内部へと供給される海水の供給量が、８９０００ｍ3 ／ｈである。すなわち、海水供給開口１３ｓによって供給される海水の量が、硫黄吸収溶液供給管１２の開口部１２ｓによって供給される硫黄吸収溶液の量に対して、４．９倍以上である（８９０００／１８１００＝４．９１７）。その他の条件については、図３に示して説明した使用例と同一である。
【００６２】
図４のような使用例について、本件発明者の実際の検証によれば、処理対象である硫黄吸収溶液において有害なＳＯ2 の無害化をより確実に達成でき、ｐＨを５．５以上により確実に調整することができた。また、処理容器１１内でエアレーションを施されている混合液体のｐＨについて、当該液体の表面のいずれの箇所においても５．５以上であることが確認できた。（より詳しくは、エアレーションを施されている混合液体のｐＨは、硫黄吸収溶液の供給側（図２の領域Ａ）においては、５．８〜７．５であり、硫黄吸収溶液の供給側の反対側（図２の領域Ｂ）においては、５．５〜７．０であった。）これは、人が強い不快感を覚えるほどの異臭を放つことが確実に抑制されていることを意味する。
【００６３】
本実施の形態では、高効率な脱硫装置３０を用いて脱硫のために必要な海水量を抑制しているため、相応して硫黄吸収溶液の供給量も抑制されているため、その４．９倍以上の海水量といっても８９０００ｍ3 ／ｈであるから、過大ということはない。
【００６４】
なお、海水供給開口１３ｓによって処理容器１１に供給される海水の量が、硫黄吸収溶液供給管１２の開口部１２ｓによって処理容器１１に供給される硫黄吸収溶液の量に対して、最大でも５．４倍以下であることが好ましい。これより大きいと、一般的な海水性状であれば、海水中から供給されるアルカリ成分量が中和すべき水素イオン総量よりも過多となるため、海水供給経路やポンプの大型化など非効率的な設備となる恐れがある。
【００６５】
なお、エアレーションのためのノズル１４ｎの配置については、処理容器１１内において適度に分散されていれば足りる。例えば、図２に示すように、硫黄吸収溶液の供給側と硫黄吸収溶液供給管１２より下流側との両方に配置されている場合に限定されず、図５に示すように、硫黄吸収溶液供給管１２より下流側だけに配置されていてもよい。図５のような構成でも、海水供給開口１３ｓによって供給される海水の量を、硫黄吸収溶液供給管１２の開口部１２ｓによって供給される硫黄吸収溶液の量に対して４．７倍以上（より好ましくは４．９倍以上）にすることによって、処理対象である硫黄吸収溶液において有害なＳＯ2 の無害化をより確実に達成でき、ｐＨを５．５以上により確実に調整することができた。
【符号の説明】
【００６６】
１０  処理装置
１１  処理容器
１１ｂ  底壁
１１ｗ  側壁
１１ｄ  越流堰
１２  硫黄吸収溶液供給管
１２ｓ  開口部
１３  海水供給経路
１３ａ  海水容器
１３ｓ  海水供給開口
１４  空気供給管
１４ｎ  ノズル
３０  硫黄分吸収塔
３１  ヒータ
３２  海水ポンプ
３３  煙突
３４  ブロワ
【図１】
2017077537.tif 000003
【図２】
2017077537.tif 000004
【図３】
2017077537.tif 000005
【図４】
2017077537.tif 000006
【図５】
2017077537.tif 000007
【図６】
2017077537.tif 000008